(57)【要約】【課題】従来より構造を簡易化できるとともに、セル間の電気的導通及びガスシールを確実に行うことができ、しかも、その製造が容易な固体電解質型燃料電池スタック及びその製造方法を提供すること。【解決手段】固体電解質型燃料電池システム１は、燃料ガスと空気との供給を受けて発電を行うものであり、固体電解質型燃料電池セル３が複数個積層された固体電解質型燃料電池スタック５と、固体電解質型燃料電池スタック５を収容する断熱容器７などを備えている。前記固体電解質型燃料電池スタック５には、板状で且つ内部が中空となった筒状の金属部材９が複数回折り曲げられて燃料ガス流路１１が形成されており、その燃料ガス流路１１に沿って、固体電解質型燃料電池セル３とインターコネクタ１３とが配置されている。【選択図】図１
2007242279.tif 000002
【特許請求の範囲】
【請求項１】
燃料ガスに接する燃料極と支燃性ガスに接する空気極とを有する固体電解質体を備えた固体電解質型燃料電池セルを、複数積層した固体電解質型燃料電池スタックにおいて、
前記複数の固体電解質型燃料電池セルが、ガス流路に沿って配置されるとともに、前記ガス流路は少なくとも屈曲した部分を有し、屈曲したガス流路に沿って配置されるとともに、前記各固体電解質型燃料電池セルの各極は、それぞれ前記ガス流路内とガス流路外とに分かれて露出し、
且つ、前記複数の固体電解質型燃料電池セルは、前記積層方向にて電気的に接続されていることを特徴とする固体電解質型燃料電池スタック。
【請求項２】
前記積層方向の同軸上に、前記複数の固体電解質型燃料電池セルが配置されていることを特徴とする前記請求項１に記載の固体電解質型燃料電池スタック。
【請求項３】
前記ガス流路に沿って、複数の導電性を有するインターコネクタが配置されるとともに、該各インターコネクタの一方側と他方側とは、それぞれ前記ガス流路内とガス流路外とに分かれて露出し、
且つ、前記複数の固体電解質型燃料電池セルは、前記複数のインターコネクタを介して前記積層方向にて電気的に接続されていることを特徴とする前記請求項１又は２に記載の固体電解質型燃料電池スタック。
【請求項４】
前記積層方向の同軸上に、前記複数の固体電解質型燃料電池セル及び前記複数のインターコネクタが配置されていることを特徴とする前記請求項３に記載の固体電解質型燃料電池スタック。
【請求項５】
前記ガス流路が、筒状の金属部材により形成されていることを特徴とする前記請求項１〜４のいずれかに記載の固体電解質型燃料電池スタック。
【請求項６】
前記金属部材が、２枚の金属板材を重ね、前記ガス流路に沿った側端側にて封止した構造であることを特徴とする前記請求項５に記載の固体電解質型燃料電池スタック。
【請求項７】
前記金属板材には、前記ガス流路に沿って、前記固体電解質型燃料電池セルと前記インターコネクタとが交互に配置されていることを特徴とする前記請求項６に記載の固体電解質型燃料電池スタック。
【請求項８】
前記一方の金属板材と他方の金属板材とにおいて、前記固体電解質型燃料電池セルと前記インターコネクタとが向かい合わせに配置されていることを特徴とする前記請求項６又は７に記載の固体電解質型燃料電池スタック。
【請求項９】
前記ガス流路が、燃料ガスの流路であることを特徴とする前記請求項１〜８のいずれかに記載の固体電解質型燃料電池スタック。
【請求項１０】
長尺の筒状の金属部材の長手方向に沿って、複数の固体電解質型燃料電池セルを配置するとともに、その配置の際には、各固体電解質型燃料電池セルの各極が、それぞれ前記金属部材の内側と外側とに分かれて露出するように配置し、その後、前記金属部材を折り曲げて、前記複数の固体電解質型燃料電池セルを積層方向に配置して、電気的に接続することを特徴とする固体電解質型燃料電池スタックの製造方法。
【請求項１１】
金属部材の向かい合う両側において、その長手方向に沿って、前記固体電解質型燃料電池セルとインターコネクタとを交互に配置するとともに、前記固体電解質型燃料電池セルと前記インターコネクタとを向かい合わせに配置し、その後、前記金属部材を折り曲げて、前記複数の固体電解質型燃料電池セル及び前記複数のインターコネクタを積層方向に配置し、前記複数の固体電解質型燃料電池セルを前記複数のインターコネクタを介して電気的に接続することを特徴とする請求項１０に記載の固体電解質型燃料電池スタックの製造方法。
【請求項１２】
２枚の金属板材の長手方向に沿った側端側を接合して、前記長手方向にガス流路を有する前記筒状の金属部材を製造することを特徴とする請求項１０又は１１に記載の固体電解質型燃料電池スタックの製造方法。
【発明の詳細な説明】
【技術分野】
【０００１】
本発明は、燃料極及び空気極を有する固体電解質体を備えた固体電解質型燃料電池スタック及びその製造方法に関するものである。
【背景技術】
【０００２】
従来より、燃料電池として、固体電解質（固体酸化物）を用いた固体酸化物燃料電池（以下ＳＯＦＣとも記す）が知られている。
このＳＯＦＣは、例えば板状の固体電解質体の各面に燃料極と空気極とを備えた燃料電池セルを、多数積層してスタックを形成し、燃料極に燃料ガスを供給するとともに、空気極に空気を供給し、燃料及び空気中の酸素を固体電解質体を介して化学反応させることによって電力を発生させるものである。
【０００３】
この種のＳＯＦＣとして、例えば特許文献１には、ガスマニホールドのシール部に、セラミック粉体とセラミック繊維等の複合体からなるシール材を用い、スタック全体をボルトなどの締結構造で圧縮して、ガスシールとセル間接触を同時に得る構造が開示されている。
【０００４】
また、例えば特許文献２には、支持膜型のセルと集電部材となる弾性部材とガス導入管とを、空気極側に開口部を有する合金箔で個別に包んだ構造が開示されている。
【特許文献１】特開２００２−２０３５８１号公報
【特許文献２】特開２００４−３１９１８７号公報
【発明の開示】
【発明が解決しようとする課題】
【０００５】
しかしながら、特許文献１の技術では、複数のセルへの燃料ガス及び空気の供給を確実に行うため、多数の構成部品と多数のシール箇所を必要とする結果、ＳＯＦＣスタックのサイズが過大、過重となり、体積当たりの発電密度の向上に限界があるという問題があった。
【０００６】
また、特許文献１の技術のように、複数のセルを積み重ね、出力を向上させたいわゆる平板スタック構造においては、セル間の電気導通は、各セル間に配置された個々のインターコネクタの物理的、化学的性能に大きく依存する結果、セル間の電気導通を確実にすることは、燃料電池の使用期間中の熱サイクル、各部品の寸法誤差、変形によって、それほど容易なことではない。
【０００７】
この問題を解決するために、外部から加圧力を加え、電気導通の信頼性を確保しようとしても、特許文献１の技術では、その加圧力はスタックの各段の間のシール部分に加わることになり、電気導通の信頼性の向上が期待できないという問題があった。
【０００８】
一方、特許文献２の技術は、特許文献１の技術に見られるようなセル周縁部に配置された金属部材を低減できるという利点はあるが、個別のセル毎には、合金箔を封止する必要があり、また、セル導入管もそれぞれに絶縁とガスシールをする必要があり、ガスシール部を低減する観点からは、不十分な構造であった。
【０００９】
本発明は、上述した課題を解決するためになされたものであり、その目的は、従来より構造を簡易化できるとともに、セル間の電気的導通及びガスシールを確実に行うことができ、しかも、その製造が容易な固体電解質型燃料電池スタック及びその製造方法を提供することにある。
【課題を解決するための手段】
【００１０】
（１）請求項１の発明は、燃料ガスに接する燃料極と支燃性ガスに接する空気極とを有する固体電解質体を備えた固体電解質型燃料電池セルを、複数積層した固体電解質型燃料電池スタックにおいて、前記複数の固体電解質型燃料電池セルが、ガス流路に沿って配置されるとともに、前記ガス流路は少なくとも屈曲した部分を有し、前記各固体電解質型燃料電池セルの各極は、それぞれ前記ガス流路内とガス流路外とに分かれて露出し、且つ、前記複数の固体電解質型燃料電池セルは、前記積層方向にて電気的に接続されていることを特徴とする。
【００１１】
本発明では、複数の固体電解質型燃料電池セルは、ガス流路に沿って配置されているが、このガス流路は、屈曲した部分を有している。つまり、ガス流路は、例えば１８０°屈曲して折り畳まれた構造となっている。また、各固体電解質型燃料電池セルは、積層されるように配置されており、しかも、その積層方向にて電気的に接続されている。
【００１２】
この様な固体電解質型燃料電池スタックでは、従来の様に、多数の構成部品と多数のシール箇所を必要としないので、その製造が容易であり、しかも構成を簡易化してサイズを小さくすることができるので、体積当たりの発電密度を高めることができる。
【００１３】
また、従来の様に、外部からの押圧力によって、スタックの各段のシールと電気的導通を確保する必要がなく、単に導通を確保するために押圧力を加えれば済むため、各部材の寸法精度や使用中の熱サイクルによる影響が少なく、優れたシール性及び電気的導通性を容易に実現することができる。
【００１４】
つまり、本発明によれば、体積当たりの出力密度の高い燃料電池を、簡単な部品と簡易な製造プロセスによって、低コストで実現できるとともに、高いシール信頼性と高い電気導通信頼性を確保することができるという顕著な効果を奏する。
【００１５】
（２）請求項２の発明は、前記積層方向の同軸上に、前記複数の固体電解質型燃料電池セルが配置されていることを特徴とする。
例えばガス流路を１８０°屈曲させて折り畳んだような構成とすることにより、複数の固体電解質型燃料電池セルを同軸上に配置することができる。これによって、積層方向に押圧力を加えることにより、電気的接続を容易に確保することができる。
【００１６】
（３）請求項３の発明は、前記ガス流路に沿って、複数の導電性を有するインターコネクタが配置されるとともに、該各インターコネクタの一方側と他方側とは、それぞれ前記ガス流路内とガス流路外とに分かれて露出し、且つ、前記複数の固体電解質型燃料電池セルは、前記複数のインターコネクタを介して前記積層方向にて電気的に接続されていることを特徴とする。
【００１７】
本発明では、複数の固体電解質型燃料電池セル及びインターコネクタが、例えば１８０°屈曲したガス流路に沿って配置されるとともに、積層されるように配置されており、しかも、その積層方向にて電気的に接続されている。つまり、複数の固体電解質型燃料電池セルは、複数のインターコネクタを介して、その積層方向にて電気的に接続されている。
【００１８】
従って、ガス流路を折り曲げて形成した場合に、複数の固体電解質型燃料電池セル同士の電気的導通を容易に確保することができる。
（４）請求項４の発明は、前記積層方向の同軸上に、前記複数の固体電解質型燃料電池セル及び前記複数のインターコネクタが配置されていることを特徴とする。
【００１９】
例えばガス流路を１８０°屈曲させることにより、複数の固体電解質型燃料電池セル及びインターコネクタを同軸上に配置することができる。これによって、積層方向に押圧力を加えることにより、電気的接続を容易に確保することができる。
【００２０】
（５）請求項５の発明は、前記ガス流路が、筒状の金属部材により形成されていることを特徴とする。
本発明では、筒状の金属部材を用いることにより、その内部の貫通孔をガス流路として利用することができる。つまり、筒状の金属部材を折り曲げることにより、その内部のガス流路の同様に折れ曲がった流路とすることができる。尚、この金属部材は、容易に折り畳むことができるような柔軟性を備えていることが好ましい。
【００２１】
（６）請求項６の発明は、前記金属部材が、２枚の金属板材を重ね、前記ガス流路に沿った側端側にて封止した構造であることを特徴とする。
本発明は、金属部材の構成を例示したものであり、２枚の金属板材を重ね合わせて、その側端部を例えばレーザ溶接により接合することにより、内部にガス流路を備えた筒状の金属部材とすることができる。
【００２２】
（７）請求項７の発明は、前記金属板材には、前記ガス流路に沿って、前記固体電解質型燃料電池セルと前記インターコネクタとが交互に配置されていることを特徴とする。
本発明は、固体電解質型燃料電池セルとインターコネクタとの配置を例示したものである。
【００２３】
（８）請求項８の発明は、前記一方の金属板材と他方の金属板材とにおいて、前記固体電解質型燃料電池セルと前記インターコネクタとが向かい合わせに配置されていることを特徴とする。
【００２４】
本発明は、固体電解質型燃料電池セルとインターコネクタとの配置を例示したものである。
（９）請求項９の発明は、前記ガス流路が、燃料ガスの流路であることを特徴とする。
【００２５】
本発明は、ガス流路を例示したものである。尚、ガス流路を空気等の支燃性ガスの流路としてもよい。
（１０）請求項１０の発明は、長尺の筒状の金属部材の長手方向に沿って、複数の固体電解質型燃料電池セルを配置するとともに、その配置の際には、各固体電解質型燃料電池セルの各極が、それぞれ前記金属部材の内側と外側とに分かれて露出するように配置し、その後、前記金属部材を折り曲げて、前記複数の固体電解質型燃料電池セルを積層方向に配置して、電気的に接続することを特徴とする。
【００２６】
本発明では、金属部材を例えばその両端側から押圧して例えば１８０°折り曲げて、屈曲したガス流路を形成するとともに、固体電解質型燃料電池セルを積層して電気的接続する。
【００２７】
よって、従来の様に、多数の構成部品と多数のシール箇所を必要としないので、その製造が容易であり、しかも構成を簡易化してサイズを小さくすることができるので、体積当たりの発電密度を高めることができる。
【００２８】
また、従来の様に、外部からの押圧力によって、スタックの各段のシールと電気的導通を確保する必要がなく、単に導通を確保するために押圧力を加えれば済むため、各部材の寸法精度や使用中の熱サイクルによる影響が少なく、優れたシール性及び電気的導通性を容易に実現することができる。
【００２９】
（１１）請求項１１の発明は、金属部材の向かい合う両側において、その長手方向に沿って、前記固体電解質型燃料電池セルとインターコネクタとを交互に配置するとともに、前記固体電解質型燃料電池セルと前記インターコネクタとを向かい合わせに配置し、その後、前記金属部材を折り曲げて、前記複数の固体電解質型燃料電池セル及び前記複数のインターコネクタを積層方向に配置し、前記複数の固体電解質型燃料電池セルを前記複数のインターコネクタを介して電気的に接続することを特徴とする。
【００３０】
本発明では、金属部材の長手方向に、固体電解質型燃料電池セルとインターコネクタとを交互に配置し、その金属部材を例えばその両端側から押圧して例えば１８０°折り曲げる。これにより、固体電解質型燃料電池セル同士をインターコネクタを介して積層するとともに、電気的に接続することができる。
【００３１】
（１２）請求項１２の発明は、２枚の金属板材の長手方向に沿った側端側を接合して、前記長手方向にガス流路を有する前記筒状の金属部材を製造することを特徴とする。
本発明は、内部にガス流路を備えた筒状の金属部材の製造方法を例示したものである。
【００３２】
・ここで、前記固体電解質体は、電池の作動時に燃料極に導入される燃料ガス又は空気極に導入される支燃性ガスのうちの一方の一部をイオンとして移動させることができるイオン伝導性を有する。このイオンとしては、例えば酸素イオン及び水素イオン等が挙げられる。また、燃料極は、還元剤となる燃料ガスと接触し、セルにおける負電極として機能する。空気極は、酸化剤となる支燃性ガスと接触し、セルにおける正電極として機能する。
【００３３】
・固体電解質体の材料としては、例えばＺｒＯ2系セラミック、ＬａＧａＯ3系セラミック、ＢａＣｅＯ3系セラミック、ＳｒＣｅＯ3系セラミック、ＳｒＺｒＯ3系セラミック、及びＣａＺｒＯ3系セラミック等が挙げられる。
【００３４】
・燃料極の材料としては、例えば、Ｎｉ及びＦｅ等の金属と、Ｓｃ、Ｙ等の希土類元素のうちの少なくとも１種により安定化されたジルコニア等のＺｒＯ2系セラミック、ＣｅＯ2系セラミック及び酸化マンガン等のセラミックのうちの少なくとも１種との混合物などが挙げられる。また、Ｐｔ、Ａｕ、Ａｇ、Ｐｄ、Ｉｒ、Ｒｕ、Ｒｈ、Ｎｉ及びＦｅ等の金属が挙げられる。これらの金属は１種のみでもよいし、２種以上の金属の合金でもよい。更に、これらの金属及び／又は合金と、上記セラミックの各々の少なくとも１種との混合物（サーメットを含む）が挙げられる。また、Ｎｉ及びＦｅ等の金属の酸化物と、上記セラミックの各々の少なくとも１種との混合物などが挙げられる。
【００３５】
・空気極の材料としては、例えば、各種の金属、金属の酸化物、金属の複酸化物等を用いることができる。金属としては、Ｐｔ、Ａｕ、Ａｇ、Ｐｄ、Ｉｒ、Ｒｕ及びＲｈ等の金属又は２種以上の金属を含有する合金が挙げられる。更に、金属の酸化物としては、Ｌａ、Ｓｒ、Ｃｅ、Ｃｏ、Ｍｎ及びＦｅ等の酸化物（Ｌａ2Ｏ3、ＳｒＯ、Ｃｅ2Ｏ3、Ｃｏ2Ｏ3、ＭｎＯ2及びＦｅＯ等）が挙げられる。また、複酸化物としては、少なくともＬａ、Ｐｒ、Ｓｍ、Ｓｒ、Ｂａ、Ｃｏ、Ｆｅ及びＭｎ等を含有する複酸化物（Ｌａ1-xＳｒxＣｏＯ3系複酸化物、Ｌａ1-xＳｒxＦｅＯ3系複酸化物、Ｌａ1-xＳｒxＣｏ1-yＦｅyＯ3系複酸化物、Ｌａ1-xＳｒxＭｎＯ3系複酸化物、Ｐｒ1-xＢａxＣｏＯ3系複酸化物及びＳｍ1-xＳｒxＣｏＯ3系複酸化物等）が挙げられる。
【００３６】
・内部にガス流路を有する金属部材の材料としては、耐熱性を有する、例えばステンレス鋼、ニッケル基合金、クロム基合金等の耐熱合金が挙げられる。
具体的には、ステンレス鋼としては、フェライト系ステンレス鋼、マルテンサイト系ステンレス鋼、オーステナイト系ステンレス鋼が挙げられる。フェライト系ステンレス鋼としては、ＳＵＳ４３０、ＳＵＳ４３４、ＳＵＳ４０５等が挙げられる。マルテンサイト系ステンレス鋼としては、ＳＵＳ４０３、ＳＵＳ４１０、ＳＵＳ４３１等が挙げられる。オーステナイト系ステンレス鋼としては、ＳＵＳ２０１、ＳＵＳ３０１、ＳＵＳ３０５等が挙げられる。更に、ニッケル基合金としては、インコネル６００、インコネル７１８、インコロイ８０２等が挙げられる。クロム基合金としては、Ｄｕｃｒｌｌｏｙ ＣＲＦ（９４Ｃｒ５Ｆｅ１Ｙ2Ｏ3）等が挙げられる。
【００３７】
・電気的導通を得るインターコネクタとしては、絶縁性を有する板状のセラミックスの両側に導電性の内側及び外側コネクタ部（層）を備えるものが挙げられる。
このコネクタ部としては、例えばニッケル、パラジウム、銀、白金などを無電解メッキした層が挙げられる。尚、セラミックスの両側のコネクタ部は、スルーホールやビアを介して電気的に接続することができる。
【００３８】
・固体電解質形燃料電池を用いて発電を行う場合、燃料極側には燃料ガスを導入し、空気極側には支燃性ガスを導入する。
燃料ガスとしては、水素、還元剤となる炭化水素、水素と炭化水素との混合ガス、及びこれらのガスを所定温度の水中を通過させ加湿した燃料ガス、これらのガスに水蒸気を混合させた燃料ガス等が挙げられる。炭化水素は特に限定されず、例えば、天然ガス、ナフサ、石炭ガス化ガス等が挙げられる。この燃料ガスとしては水素が好ましい。これらの燃料ガスは１種のみを用いてもよいし、２種以上を併用することもできる。また、５０体積％以下の窒素及びアルゴン等の不活性ガスを含有していてもよい。
【００３９】
支燃性ガスとしては、酸素と他の気体との混合ガス等が挙げられる。更に、この混合ガスには８０体積％以下の窒素及びアルゴン等の不活性ガスが含有されていてもよい。これらの支燃性ガスのうちでは安全であって、且つ安価であるため、空気（約８０体積％の窒素が含まれている。）が好ましい。
【発明を実施するための最良の形態】
【００４０】
次に、本発明の最良の形態の例（実施例）について、すなわち、固体電解質型燃料電池スタック及びその製造方法の実施例について説明する。
【実施例】
【００４１】
ａ）まず、固体電解質型燃料電池スタックを備えた固体電解質型燃料電池システムについて、図１及び図２に基づいて説明する。
図１に示す様に、固体電解質型燃料電池システム１は、燃料ガス（例えば水素）と支燃性ガス（例えば空気（詳しくは空気中の酸素））との供給を受けて発電を行うものであり、固体電解質型燃料電池セル３が複数個積層された固体電解質型燃料電池スタック５と、固体電解質型燃料電池スタック５を収容する断熱容器７などを備えている。
【００４２】
前記固体電解質型燃料電池スタック５には、帯状で且つ筒状の金属部材９が、複数回（１８０°）折り曲げられて（即ち折り畳まれて）燃料ガス流路１１が形成されており、その燃料ガス流路１１に沿って、固体電解質型燃料電池セル３とインターコネクタ１３とが配置されている。なお、固体電解質型燃料電池スタック５と断熱容器７との間には、（燃料ガス流路１１外の流路として）空気流路１５が形成されている。
【００４３】
このうち、固体電解質型燃料電池セル３の燃料ガス流路１１側には、内側電極（燃料極：アノード）１９が配置されるとともに、空気流路１５側には、外側電極（空気極：カソード）２１が配置されている。一方、インターコネクタ１３の燃料ガス流路１１側には、内側コネクタ部２３が配置されるとともに、空気流路１５側には、外側コネクタ部２５が配置されている。
【００４４】
また、前記固体電解質型燃料電池セル３とインターコネクタ１３とは、同図の左右方向に交互に積層されて電気的に接続されている。つまり、固体電解質型燃料電池セル３はインターコネクタ１３を介して電気的に接続されており、その左右両端には、出力端子２７、２９が接続されている。
【００４５】
詳しくは、前記金属部材９は、対向する一対の金属板材３１、３３から構成されており、それぞれの金属板材３１、３３に、固体電解質型燃料電池セル３とインターコネクタ１３とが、金属部材９の長手方向（即ち燃料ガス流路１１）に沿って、交互に配置されるとともに、燃料ガス流路１１を挟んで対向し且つ接触するように配置されている。
【００４６】
ここで、金属板材３１、３３における固体電解質型燃料電池セル３とインターコネクタ１３との配置を、更に詳しく説明する。
図２に模式的に示す様に、第１の金属板材３１には、燃料ガス流路の上流側（図２右側）より、第１の固体電解質型燃料電池セル３ａ、第２のインターコネクタ１３ｂ、第３の固体電解質型燃料電池セル３ｃ、第４のインターコネクタ１３ｄ、第５の固体電解質型燃料電池セル３ｅ、第６のインターコネクタ１３ｆが配置されている。一方、第２の金属板材３３には、燃料ガス流路１１の上流側より、第１のインターコネクタ１３ａ、第２の固体電解質型燃料電池セル３ｂ、第３のインターコネクタ１３ｃ、第４の固体電解質型燃料電池セル３ｄ、第５のインターコネクタ１３ｅ、第６の固体電解質型燃料電池セル３ｆが配置されている。
【００４７】
これにより、金属部材９には、燃料ガス流路の上流側より、第１の固体電解質型燃料電池セル３ａ及び第１のインターコネクタ１３ａ、第２の固体電解質型燃料電池セル３ｂ及び第２のインターコネクタ１３ｂ、第３の固体電解質型燃料電池セル３ｃ及び第３のインターコネクタ１３ｃ、第４の固体電解質型燃料電池セル３ｄ及び第４のインターコネクタ１３ｄ、第５の固体電解質型燃料電池セル３ｅ及び第５のインターコネクタ１３ｅ、第６の固体電解質型燃料電池セル３ｆ及び第５のインターコネクタ１３ｆが、それぞれ対向して配置されることになる。
【００４８】
ｂ）次に、固体電解質型燃料電池スタック３及びインターコネクト１３について、図３及び図４に基づいて詳細に説明する。尚、図３及び前記図２では、固体電解質型燃料電池セル３とインターコネクタ１３との間は離れて描かれているが、実際には接触している。
【００４９】
図３に示す様に、第１の金属部材３１には、同図上方から見て正方形の開口部３６が形成されており、この開口部３６を塞ぐようにして、正方形の板状の固体電解質型燃料電池セル３がろう材３７にて接合されている。
【００５０】
この固体電解質型燃料電池セル３は、板状の固体電解質体３５の内側に燃料極１９を備えるとともに、外側に空気極２１を備えたものである。また、燃料極１９の側方の外周には、セラミック製（例えばアルミナ）の絶縁枠３９が配置され、その外周の内側面にもセラミック製（アルミナ）の絶縁枠４１が配置されている。
【００５１】
前記燃料極１９の内側面１９ａには、図４に示す様に、（インターコネクタ１３に当接した場合でも）燃料ガスの流通が可能な様に、格子状に溝４３が形成されており、前記空気極２１の外側面２１ａにも、空気の流通が可能な様に、同様に格子状の溝４５が形成されている。
【００５２】
一方、第２の金属部材３３にも、同図上方から見て正方形の開口部４７が形成されており、この開口部４７を塞ぐようにして、正方形の板状のインターコネクタ１３がろう材４９にて接合されている。
【００５３】
このインターコネクタ１３は、板状の絶縁性のセラミック部材（例えばアルミナ）５０の内側に導電性の内側コネクタ部２３を備えるとともに、外側に外側コネクタ部２５を備えたものであり、それらはビア５１により電気的に接続されている。
【００５４】
ｃ）次に、固体電解質型燃料電池スタック５の製造方法について、図５及び図６に基づいて説明する。
尚、図５では、前記図１よりも多くの固体電解質型燃料電池スタック３及びインターコネクト１３が配列された例を挙げて説明する。また、図５（ａ）、（ｂ）の「上」、「下」は、図５（ｃ）にて紙面表側及び図６にて上側になるものを「上」とし、図５（ｃ）にて紙面裏側及び図６にて下側になるものを「下」として示したものである。更に図６は図５の左側から見た状態を示したものである。
【００５５】
（第１工程）
まず、図５（ａ）に示す様に、打ち抜き加工により、例えばＳＵＳ４３０からなる長尺のメタルフレーム（例えば縦２０ｃｍ×横２００ｃｍ×厚み０．３ｍｍ）を製造した。
【００５６】
具体的には、その長手方向に沿って、正方形の開口部（縦１４ｃｍ×横１４ｃｍ）３６、４７が、３ｃｍの間隔を開けて配置された第１及び第２の金属板材３１、３３を製造した。
【００５７】
尚、第１及び第２の金属板材３１、３３には、各開口部３６、４７の中間位置に、幅方向に向かって、後述する第４工程にて、第１及び第２の金属板材３１、３３を折り曲げ易いように、細い筋のような圧痕３２、３４が形成してある。
【００５８】
（第２工程）
次に、図５（ｂ）に示す様に、各開口部３６、４７を気密して塞ぐようにして、別途製造した固体電解質型燃料電池セル３及びインターコネクタ１３を、それぞれ第１及び第２の金属板材３１、３３にろう付けした。
【００５９】
具体的には、第１の金属板材３１には、図５の左側から、固体電解質型燃料電池セル３とインターコネクタ１３とを交互に配置した。つまり、固体電解質型燃料電池セル３は、その外側（図６の上方）に空気極２１が、内側（図６の下方）に燃料極１９がくるように配置し、インターコネクタ１３は、その外側（図５（ｂ）の表側）に外側コネクタ部２３が、内側（図５（ｂ）の裏側）に内側コネクタ部２５がくるように配置した。
【００６０】
一方、第２の金属板材３３には、図５の左側から、インターコネクタ１３と固体電解質型燃料電池セル３とを交互に配置した。つまり、インターコネクタ１３は、その外側（図６の下方）に外側コネクタ部２３が、内側（図６の上方）に内側コネクタ部２５がくるように配置し、固体電解質型燃料電池セル３は、その外側（図５（ｂ）の裏側）に空気極２１が、外側（図５（ｂ）の表側）に燃料極１９がくるように配置した。
【００６１】
尚、固体電解質型燃料電池セル３は、周知の燃料極支持膜型のセルであり、定法に従って、燃料極１９のグリーンシート上に、固体電解質体３５の材料を印刷し、その上に空気極２１の材料を印刷し、その後焼成したものである。また、インターコネクタ１３は、例えばアルミナシートにビア５１を形成したものを焼成し、その後、両面に例えば無電解ニッケルメッキにより、内側コネクタ部２３及び外側コネクタ部２５を形成したものである。
【００６２】
（第３工程）
次に、図５（ｃ）に示す様に、第２の金属板材３３の上に第１の金属板材３１を重ね合わせ、その長手方向に沿って、幅方向の両側をレーザ溶接して、筒状の金属部材９を製造した。つまり、両金属板材３１、３３の短手方向両側端を接合することにより、（長手方向に沿った貫通穴である）燃料ガス流路１１を備えた板状の金属部材９を製造した。
【００６３】
（第４工程）
次に、図５（ｄ）に示す様に、金属部材９の長手方向両端側（同図左右方向）から圧縮力を加え、前記圧痕３２、３４部分にて、金属部材９をジグザグに折り曲げて、即ち、折り曲げる方向を１８０°づつ切り替えて折り畳んで、固体電解質型燃料電池セル３とインターコネクタ１３とが、同軸上に配置されるようにして積層し、電気的に接続した。
【００６４】
これによって、ジグザク状に屈曲した燃料ガス流路１１に沿って、固体電解質型燃料電池セル３とインターコネクタ１３とが対向して接触した状態で順次配列された固体電解質型燃料電池スタック５を製造した。
【００６５】
尚、図５（ｄ）では、固体電解質型燃料電池セル３とインターコネクタ１３との配置が明瞭になるように、固体電解質型燃料電池セル３とインターコネクタ１３とを分離して記載してあるが、実際は接触している。
【００６６】
ｄ）次に、本実施例の効果を説明する。
上述した様に、本実施例では、筒状の金属部材９の板厚方向の両側にて、固体電解質型燃料電池セル３とインターコネクタ１３とが対向するようにして、金属部材９の長手方向に交互に配置している。そして、金属部材９の長手方向両側から押圧して、金属部材９を固体電解質型燃料電池セル３とインターコネクタ１３との間で１８０°折り曲げてジグザク形状としている。これによって、固体電解質型燃料電池セル３とインターコネクタ１３とを同一軸上に積層して電気的に接続した固体電解質型燃料電池スタック５を形成している。
【００６７】
従って、この様な固体電解質型燃料電池スタック５では、従来の様に、多数の構成部品と多数のシール箇所を必要としないので、その製造が容易であり、しかも構成を簡易化してサイズを小さくすることができるので、体積当たりの発電密度を高めることができる。
【００６８】
また、従来の様に、外部からの押圧力によって、スタックの各段のシールと電気的導通を確保する必要がなく、単に導通を確保するために押圧力を加えれば済むため、各部材の寸法精度や使用中の熱サイクルによる影響が少なく、優れたシール性及び電気的導通性を容易に実現することができる。
【００６９】
また、金属部材９の気密性はレーザ溶接により確保し、電気的導通は積層方向への押圧力で確保できるので、その製造が容易である。
更に、固体電解質型燃料電池セル３やインターコネクタ１３などの熱膨張は、薄い金属板材の変形により吸収することも可能であるため、熱サイクルに対する耐久性が高いという利点もある。
【００７０】
この様に、本実施例によれば、体積当たりの出力密度の高い燃料電池を、簡単な部品と簡易な製造プロセスにより、低コストで実現できるとともに、高いシール信頼性と高い電気導通信頼性を確保することができるという顕著な効果を奏する。
【００７１】
尚、本発明は前記実施例になんら限定されるものではなく、本発明を逸脱しない範囲において種々の態様で実施しうることはいうまでもない。
【図面の簡単な説明】
【００７２】
【図１】実施例の固体電解質型燃料電池スタック等を破断して示す説明図である。
【図２】燃料ガス流路における固体電解質型燃料電池セルとインターコネクタとの配置状態を模式的に示す説明図である。
【図３】固体電解質型燃料電池セルとインターコネクタとを分離し拡大して示す説明図である。
【図４】固体電解質型燃料電池セルの燃料極を示す平面図である。
【図５】固体電解質型燃料電池スタックの製造工程を示す説明図である。
【図６】固体電解質型燃料電池セルとインターコネクタとを分離し模式的に示す説明図である。
【符号の説明】
【００７３】
１…固体電解質型燃料電池システム
３…固体電解質型燃料電池セル
５…固体電解質型燃料電池スタック
９…金属部材
１１…燃料ガス流路
１３…インターコネクタ
１９…燃料極
２１…空気極
２３…内側コネクタ
２５…外側コネクタ
３１、３３…金属板材
３５…固体電解質体
５０…セラミック部材
【図１】
2007242279.tif 000003
【図２】
2007242279.tif 000004
【図３】
2007242279.tif 000005
【図４】
2007242279.tif 000006
【図５】
2007242279.tif 000007
【図６】
2007242279.tif 000008